(57)【特許請求の範囲】
【請求項１】
ホストと通信する通信手段と、印字媒体に印字する印字手段と、商品情報を記憶した商品リスト記憶手段と、前記商品情報を表示する表示手段と、有したプリンタにおいて、
前記ホストに記憶されたホスト側商品リストを要求する商品リスト要求手段と、この商品リスト要求手段により前記ホスト側商品リストを前記通信手段により受信して、前記商品リスト記憶手段に書き換える商品リスト書換手段と、
前記商品リストを書き換えた書換日付を記憶する書換日付記憶手段と、を有し、
この書換日付記憶手段に記憶された書換日付を呼び出す呼出手段と、この呼出手段により呼び出された前記書換日付を前記表示手段に表示するようにしたことを特徴とするプリンタ。
【請求項２】
前記商品リスト記憶手段に記憶された前記商品リストには、複数の前記商品情報を記憶し、各商品情報が変更または追加されたことを示す更新情報を記憶し、この更新情報に基づいて変更または追加された商品情報を呼び出す更新情報呼出手段と、この更新情報呼出手段により呼び出された商品情報を前記表示手段に表示するようにしたことを特徴とする請求項１記載のプリンタ。
【請求項３】
前記ホストに記憶された商品変更日付を要求する変更日付要求手段を備え、この変更日付要求手段により前記商品変更日付を前記通信手段により受信して、前記商品変更日付を取り込みした日付を要求日付として記憶する要求日付手段と、この要求日付手段に記憶された要求日付を呼び出す要求日付呼出手段と、を有し、
この要求日付呼出手段により呼び出された要求日付を前記表示手段に表示するようにしたことを特徴とする請求項１または２記載のプリンタ。
【発明の詳細な説明】
【技術分野】
【０００１】
本発明は、印字媒体に印字する商品情報を記憶したプリンタに関し、特にホストから商品情報を転送するようにしたプリンタに関する。
【背景技術】
【０００２】
一般に、スーパーマーケットの生鮮食品、日配品または衣料等の各部門には、各部門に少なくとも1台のプリンタが設置され、商品名、価格などの商品情報を印字した商品ラベルあるいは商品タグ（下げ札）を商品に付されている。
【０００３】
このように使用されるプリンタは、各部門に対応する商品の商品情報を内部に記憶しており価格の変更する場合には、プリンタのオペレータがプリンタに備えたキーボードより手入力して価格を修正するので、価格を間違えて入力したりすることがあった。
【０００４】
また、不定期に新たに追加される商品の商品情報を入力しなければならないので、商品ラベルや商品タグの印字発行とともに、商品情報の変更または追加の入力作業が発生するのでオペレータの作業が煩雑になる問題がある。
そこで、ホストに記憶された商品情報をホストからプリンタに転送するようにして、プリンタに記憶されている商品情報を更新することが行われている。（例えば、特許文献１）
【０００５】
しかし、ホストからプリンタに転送して更新された商品情報が何時更新されたか目視で判断することができなかったので、最新の商品情報か否かを判断することができなかった。
また、変更または追加された商品情報をオペレータが特定することができなかったので、変更または追加された商品情報を印字発行する際に、検索しなければならないので時間を費やし印字発行する作業効率が低下する問題があった。
【０００６】
【特許文献１】特開平２−２３４３７号公報
【発明の開示】
【発明が解決しようとする課題】
【０００７】
本発明は、上記事情に鑑みてなされたもので、商品情報の更新された日付を容易に確認することができるプリンタを提供することを目的とする。
また本発明は、変更または追加された商品情報を容易に確認することができるプリンタを提供することを目的とする。
また本発明は、変更または追加された商品情報の印字の作業性を向上させたプリンタを提供することを目的とする。
また本発明は、ホスト側商品リストを変更した商品変更日付を要求した要求日付を確認することができるプリンタを提供することを目的とする。
【課題を解決するための手段】
【０００８】
本発明は、更新された商品情報を容易に目視することに着目したので、請求項１記載の発明の要旨は、ホストと通信する通信手段と、印字媒体に印字する印字手段と、商品情報を記憶した商品リスト記憶手段と、前記商品情報を表示する表示手段と、有したプリンタにおいて、前記ホストに記憶されたホスト側商品リストを要求する商品リスト要求手段と、この商品リスト要求手段により前記ホスト側商品リストを前記通信手段により受信して、前記商品リスト記憶手段に書き換える商品リスト書換手段と、前記商品リストを書き換えた書換日付を記憶する書換日付記憶手段と、を有し、この書換日付記憶手段に記憶された書換日付を呼び出す呼出手段と、この呼出手段により呼び出された前記書換日付を前記表示手段に表示するようにしたことを特徴とするプリンタにある。
また請求項２記載の発明の要旨は、前記商品リスト記憶手段に記憶された前記商品リストには、複数の前記商品情報を記憶し、各商品情報が変更または追加されたことを示す更新情報を記憶し、この更新情報に基づいて変更または追加された商品情報を呼び出す更新情報呼出手段と、この更新情報呼出手段により呼び出された商品情報を前記表示手段に表示するようにしたことを特徴とする請求項１記載のプリンタにある。
また請求項３記載の発明の要旨は、前記ホストに記憶された商品変更日付を要求する変更日付要求手段を備え、この変更日付要求手段により前記商品変更日付を前記通信手段により受信して、前記商品変更日付を取り込みした日付を要求日付として記憶する要求日付手段と、この要求日付手段に記憶された要求日付を呼び出す要求日付呼出手段と、を有し、この要求日付呼出手段により呼び出された要求日付を前記表示手段に表示するようにしたことを特徴とする請求項１または２記載のプリンタにある。
【発明の効果】
【０００９】
本発明のプリンタは、ホストから転送されたホスト側商品リストを商品リストに書き換えられた書換日付を容易に確認することができる。また、ホストから転送されたホスト側商品リストの変更または追加された商品情報を呼び出して表示することができ変更または追加された商品情報を容易に確認することができる。
さらに、変更または追加された商品情報を効率的に印字発行することができ印字発行の作業効率が向上する。
また、ホスト側商品リストを変更した商品変更日付を要求した要求日付を確認することができ、商品リストの書き換えをしたか否かに係わらず要求日付を確認することができるので、商品リストのメンテナンスを容易に判断することができる。
【発明を実施するための最良の形態】
【００１０】
本発明の実施の形態を図１ないし図５に基づいて説明する。
図１は本発明のプリンタの商品管理システムの一例を示した全体の概略構成図であり、図２はプリンタの概略構成図であり、図３はプリンタの制御部の一例を示したブロック図であり、図４はプリンタのメモリカードに記憶された商品リスト、書換日付部および要求日付部の一例を示した説明図であり、図５は、商品管理システムのフローチャート図である。
【００１１】
商品管理システム１は主に、情報記憶装置としてのホストコンピュータ２（以下適宜、「ホスト」という）と、プリンタ３，４とから構成され、ホスト２とプリンタ３，４は通信回線Ｎによって接続されている。
ホスト２には、情報記憶部２ａと、図示しないが表示画面部および入力部と、が設けられている。表示画面部は、後述する商品情報などの文字・記号・グラフィックを表示する液晶表示画面が設けられ、入力部は商品情報などの文字・記号を入力するキーボードが設けられている。
情報記憶部２ａは、例えばスーパーマーケットの部門ごとに区分して記憶された商品情報フォルダが設けられている。この実施の形態では、食品用の商品情報フォルダ５と、衣料用の商品情報フォルダ６が設けられている。
例えば、食品用の商品情報フォルダ５には、商品変更日付部５ａと、ホスト側商品リスト５ｂと、を記憶している。商品変更日付部５ａは、後述するホスト側商品リスト５ｂの食品の商品情報に変更または追加などの作業が行われた時の日付が記憶され、商品情報が変更または追加さるごとに、変更または追加された日付に変更することができる。
ホスト側商品リスト５ｂは、呼出コード、商品名、価格、更新コードなどの各商品情報が複数記憶されている。
【００１２】
また、衣料用の商品情報フォルダ６も同様に、図示しないが商品変更日付部と、商品情報としての衣料に関するホスト側商品リストを記憶し、商品変更日付部は、ホスト側商品リストの衣料の商品情報に変更または追加などの作業が行われた時の日付が記憶され、商品情報が変更・追加さるごとに、変更または追加された日付に変更することができる。
衣料用の商品情報フォルダにも同様に、ホスト側商品リストに、呼出コード、商品名、価格、更新コードなどの各商品情報が複数記憶されている。
【００１３】
プリンタは、３，４は、ほぼ同一の構成を有しているので、プリンタ３について説明し、プリンタ４の説明は省略する。また、同一の構成については同一の符号を付し、説明を省略する。
尚、プリンタ３は食品部門に配置され、プリンタ４は衣料部門に配置された例で説明する。また、各プリンタ３，４には各プリンタの固有のコードが付されており、ホスト２と通信回線Ｎを介して通信するときに、プリンタの固有のコードがホスト２に送られて、所定の商品情報フォルダにアクセスすることができる。
この実施の形態においてプリンタ３は、食品用の商品情報フォルダ５にアクセスすることができ、プリンタ４は衣料用の商品情報フォルダ６にアクセスすることができる。
【００１４】
プリンタ３は、プリンタ本体部７と、操作表示部８と備えている。プリンタ本体部７は後述するが印字機構部などを備え、操作表示部８には、液晶表示部４０と操作部４１とが設けられている。
液晶表示部４０には、商品情報、後述する書換日付、要求日付などを表示することができるようにしてあり、操作部４１には、「ｙｅｓ」キー４１ａ、「ｎｏ」キー４１ｂ、数字の「０」から「９」を備えたテンキー４１ｃなどが設けられている。また、プリンタ本体７には、ホスト２に接続する通信インタフェース９が設けられている。
【００１５】
プリンタ本体７には主に、用紙供給部１０と、ピッチ検出部１１と、印字部（印字部）１２と、剥離部１３と、巻取部１４と、制御部１５と、を有している。
用紙供給部１０には、帯状台紙５０に所定の間隔で複数のラベル５１を仮着されたラベル連続体５２をロール状にしたラベル連続体５２を回転可能に保持する用紙供給軸１６を設け、案内ローラ１７を介して後述する印字部１２に繰出し可能にしてある。
ピッチ検出部１１は、所定の光を出射する図示せぬ発光部と発光部から出射された光を帯状台紙５０からの反射光を受光し、受光した光の強度（単位時間当たりの受光量）に対応する電気信号を出力する図示せぬ受光部とからなり、帯状台紙５０の裏面側に発光部と受光部を配し、帯状台紙５０の裏面に印刷等によって形成された図示せぬ基準マーク（黒色の矩形のマーク）を、受光部の受光量に基づいて検出する光反射センサ１８がラベル連続体５２の搬送路の下方に配置されている。
光反射センサ１８は、基準のマークの検出結果に基づいて、ラベル５１の印字基準位置などを設定することができるように後述する制御部１５で制御するようにしてある。
尚、この実施の形態のラベル５１は、感熱により発色する感熱発色層が形成されたラベル５１（サーマル紙）で説明する。
【００１６】
印字部１２は、プラテンローラ１９とサーマルヘッド２０が設けられるとともに、サーマルヘッド２０はプラテンローラ１９に対し接離自在に設けられている。また、プラテンローラ１９は、タイミングベルト（図示せず）を介してステッピングモータ２１に接続され、ステッピングモータ２１の駆動に伴って、プラテンローラ１９が回転自在に駆動するようにしてある。
また、プラテンローラ１９とサーマルヘッド２０とにより挟持されたラベル連続体５２は、制御部１５からの印字信号によりプラテンローラ１９が駆動するとともに、サーマルヘッド２０が選択的に発熱体（図示せず）を発熱させることにより、ラベル５１の感熱発色層を発色させて商品情報としての文字・記号やバーコードなど印字するようにしてある。
剥離部１３は、その先端が鋭角に形成された剥離板２２を有し、移送されるラベル連続体５２の帯状台紙５０を剥離板２２の先端で折り返し、剛性のあるラベル５１を帯状台紙５０から剥離されるようにしてある。
巻取部１４は、剥離板２２でラベル５１を剥離した帯状台紙５０を巻き取る巻取軸２３を備えている。この巻取軸２３は、図示しない無端状の丸ベルト（図示せず）を介してＤＣモータ３２に接続され、ＤＣモータ３２の駆動により、巻取軸２３が回転駆動して帯状台紙５０を巻き取れるようにしてある。
尚、剥離板２２と巻取軸２３との間には帯状台紙５０を案内する案内ローラ２４が設けられている。
【００１７】
図３は、プリンタ３の制御部１５の構成例を示すブロック図である。
同図に示すように制御部１５は、プリンタ制御プログラム、各種固定データ、制御テーブルデータ、ＩＯ定数、モータ制御プログラム、通信制御プログラム等を記憶するＲＯＭ（ｒｅａｄ  ｏｎｌｙ  ｍｅｍｏｒｙ）２６と、ＲＯＭ２６に記憶されている各種制御プログラムに従って動作し、各部を制御するＣＰＵ（ｃｅｎｔｒａｌ  ｐｒｏｃｅｓｓｉｎｇ  ｕｎｉｔ）２５と、ＣＰＵ２５が動作する上で必要となる各種データを記憶するワークエリア、および印字データが展開される印字展開エリアを有するＲＡＭ（ｒａｎｄｏｍ  ａｃｃｅｓｓ  ｍｅｍｏｒｙ）と２７、プラテンローラ１９を回転させることにより、ラベル連続体５２を搬送駆動するステッピングモータ２１と、ステッピングモータ２１を制御するモータ制御回路２８と、ＣＰＵ２５の制御下、ＲＡＭ２７の印字展開エリアに展開された商品情報としての文字、記号、およびバーコードなどの印字データに対応する制御信号を生成し、生成した制御信号をサーマルヘッド２０に供給して印字動作を行わせるヘッド制御回路２９と、ＣＰＵ２５の制御下、光反射センサ１８の図示せぬ発光部を制御し、光を出射させるとともに、図示せぬ受光部から出力される電気信号を受け取り、ディジタルのデータに変換して印字基準位置としてＣＰＵ２５に供給するセンサ制御回路３０と、ＣＰＵ２５の制御下、日付情報を管理する時計回路３１と、巻取軸２３を回転させることにより、帯状台紙５０を巻き取るＤＣモータ３２と、ＤＣモータ３２を制御する巻取制御回路３３と、ＣＰＵ２５の制御下、ホスト２に通信制御プログラムを供給して、ホスト２から商品変更日付、ホスト側商品リスト５ｂ、を受信する通信ＩＦ（インタフェース）９と、ＣＰＵ２５の制御下、操作部４１から入力された信号をＩＦ（インタフェース）３４を介してＣＰＵ２５に供給し、ＣＰＵ２５からＩＦ（インタフェース）３４を介して表示データを表示する液晶表示部４０と、ＣＰＵ２５の制御下、ＩＦ（インタフェース）３５を介してホスト２から転送されてきた商品変更日付、ホスト側商品リスト５ｂを書き込むメモリカード３６と、を備えている。
【００１８】
また、メモリカード３６には、書換日付部（書換日付記憶手段）３７と、要求日付部（要求日付手段）３８、商品リスト（商品リスト記憶手段）３９と、を記憶することができる。
書換日付部３７は、ホスト２から送られてきた商品変更日付を書換日付として記憶することができ、ホスト２からホスト側商品リスト５ｂが転送されてきた時の日付を書換することができる。
また、ホスト２から転送されたホスト側商品リスト５ｂは、メモリカード３６の商品リスト３９に書き換えて更新することができる。
さらにまた、要求日付部３８は、ホスト２の商品変更日付を要求した要求日付を記憶することができる。
【００１９】
商品リスト３９には、呼出コード欄３９ａ、商品名欄３９ｂ、価格欄３９ｃ、商品コード欄３９ｄ、フォーマットコード欄３９ｅ、更新コード３９ｆなどが設けられている。
呼出コード欄３９ａは、商品を呼び出すコードが登録されるようにしてあり、商品名欄３９ｂは、商品の商品名が登録されるようにしてあり、価格欄３９ｃは、商品に対する価格が登録され、商品コード欄３９ｄは、バーコード情報としての商品の固有のコードが登録され、フォーマットコード欄３９ｅは、印字レイアウトのコードが登録され、更新情報としての更新コード欄３９ｆは、ホスト側で変更や追加などの変更されたコードと、変更されていない情報としてのコードと、を登録することができる。
【００２０】
例えば、呼出コード欄３９ａには「１０１」「１０２」・・・などの情報が登録されている。商品名欄３９ｂには、「りんご」、「みかん」・・・が登録され、価格欄３９ｃには、「１２０円」、「３５０円」・・・登録され、商品コード欄３９ｄには、「０２・・・６」、「０２・・・９」などのバーコード情報が登録され、フォーマットコード欄３９ｅには、「０１」「０５」などの印字レイアウトの種類コードが登録され、更新コード欄３９ｆには、商品情報に変更・追加された場合に、変更ありのコードとして「１」が、また商品情報に変更がない場合には、変更していないコードとして「０」が登録されている。
【００２１】
このように登録されている商品リスト３９は、操作部４１のテンキー４１ｃから呼出コード「１０１」を入力すると、商品リスト３９から呼出コード「１０１」に対応する商品情報（商品名「りんご」、価格「１２０円」、商品コード「０２・・・６」、フォーマットコード「０１」）が呼び出されるようにすることができ。
呼び出された商品情報は、フォーマット「０１」の印字レイアウトにより商品名、価格、バーコードなどがラベル５１に印字されるようにしてある。
このように、商品リスト３９から所望の印字する商品情報を呼び出すことができる。また、商品リスト３９は、ホスト２から転送されてくるホスト側商品リスト５ｂを商品リスト３９として書き換えすることができるようにしてある。
【００２２】
また、液晶表示部４０には、「書換日付？」、「要求日付？」または「更新情報？」などが表示することができる。
液晶表示部４０が「書換日付？」が表示されてある時に、「ｙｅｓ」キー４１ａを押すことにより、書換日付部３７に記憶されている書換日付を呼び出して液晶表示部４０に書換日付を表示させることができる。尚、プリンタの電源を入れたときに、書換日付を液晶表示部４０に表示させるように書換日付部３７から書換日付を呼び出しするように制御することができる。この場合には、操作キー押すことなく表示することができるので、操作性が向上するとともに、商品情報の書き換えられた日付を容易に確認することができる。
【００２３】
また液晶表示部４０に「更新情報？」が表示されている時に、「ｙｅｓ」キー４１ａを押すことにより、商品リスト３９に記憶されある更新情報欄からコード「１」が登録された商品情報が呼び出されて、液晶表示部４０に表示することができる。
これにより、変更・追加された商品情報が表示されるので、変更または追加された商品情報を容易に確認することができる。特に、追加された商品情報の呼出コードを確認することができるので、容易に追加された商品情報を印字発行することができる。
さらに液晶表示部４０に「要求日付？」が表示されている時に、「ｙｅｓ」キー４１ａを押すことにより、要求日付部３８に記憶されある要求日付が呼び出されて、液晶表示部４０に表示することができる。
これにより、ホスト２に記憶されたホスト側商品リスト５ａの変更または追加された商品情報があるか否かを要求した要求日付を確認することができる。
【００２４】
次に、図５に基づいて商品管理システムのフローチャートについて説明する。
オペレータ（図示せず）がプリンタ３の電源を投入すると、液晶画面部４０にホスト２にある商品変更日付を確認するか否かを問い合わせ画面が表示する（ステップＳ１）。
商品変更日付を確認する場合には、「ｙｅｓ」キー４１ａを押して、ステップＳ２に進むことができ、また確認しない場合には「ｎｏ」キー４１ｂを押すことにより、ステップＳ６に進むことができる。ここでは、「ｙｅａ」キー４１ａを押してステップＳ２進む。
【００２５】
ステップＳ２では、プリンタ３の制御部１５からホスト２の商品変更日付部５ａに商品変更日付を要求することができる（変更日付要求手段）。ホスト２は、プリンタ３からの商品変更日付の要求に対して、プリンタ３の固有のコードを判断して情報記憶部２ａのプリンタ３の固有のコードに対応する食品用の商品情報エリア５に記憶してある商品変更日付部５ａの商品変更日付をプリンタ３に送信し、プリンタ３は商品変更日付を受信して取り込みステップＳ３に進む（取込手段）。
尚、商品変更日付をプリンタ３に取り込みした日付を要求日付部３８に要求日付として記憶することができる。
ステップＳ３では、プリンタ３のメモリカード３６に記憶されている書換日付部３７に記憶されている書換日付と、ホスト２から取り込んだ商品変更日付とを比較する（日付比較手段）。
比較した結果、同一の日付と判断した場合には、このフローチャートを終了し商品情報を印字する印字発行モードに切り替わることができる。
【００２６】
また、ホスト２から取り込まれた商品変更日付がプリンタ３のメモリカード３６に記憶された書換日付より新しいと判断（異日）した場合にはステップＳ４に進む。
ステップＳ４では、液晶表示部４０に「商品リスト転送？」の表示がされ、「ｙｅｓ」キー４１ａを押すことにより（商品リスト要求手段）、ホスト２の食品用の商品情報エリア５にあるホスト側商品リスト５ｂの全ての商品情報をプリンタ３に転送され、プリンタ３はホスト側商品リスト５ｂを受信し、ホスト側商品リスト５ｂを商品リスト３９を書き換えして、最新の商品リスト３９がメモリカード３６に書き換えられて記憶（商品リスト書換手段）されステップＳ５に進む。
ステップＳ５では、商品リスト３９が書き換えた書換日付がメモリカード３６の書換日付部３７に書き換えて、このフローチャートを終了し商品情報を印字する印字発行モードに切り替わることができる。
【００２７】
前述のステップＳ１において「ｎｏ」キー４１ｂ押すと、ステップＳ６に進み、液晶画面部４０に「印字モード？」が表示され、「ｙｅｓ」キー４１ａを押すと、このフローチャートを終了し商品情報を印字する印字発行モードに切り替わることができ、「ｎｏ」キー４１ｂを押すことによりステップＳ７に進む。
ステップＳ７では、液晶画面部４０に「書換日付？」が表示され、「ｙｅｓ」キーを押すことにより、ステップＳ８に進み、「ｎｏ」キー４１ｂを押すことにより、ステップＳ９に進む。
ステップＳ７で「ｙｅｓ」キー４１ａを押してステップＳ８に進み、メモリカードの書換日付部３７に記憶された日付情報を呼び出して液晶表示部４０に書換日付を表示することができる（呼出手段）。
ステップＳ９では、液晶表示部４０に「更新情報呼出？」が表示され、「ｙｅｓ」キー４１ａを押すことにより、ステップＳ１０に進み、「ｎｏ」キー４１ｂを押すことにより、ステップＳ１１に進む。
【００２８】
ステップＳ１０では、商品リスト３９に基づいて、更新情報欄に商品情報が変更または追加されたことを示すコード「１」が記憶された商品情報が呼び出されて（更新情報呼出手段）、液晶表示部に表示することができる。
この実施の形態では、呼出コード「１０１」の商品名「みかん」、価格「３５０円」、商品コード「０２・・９」、フォーマット「０５」の商品情報などが呼び出されて表示することができ、この商品情報が変更されたことが判断することができる。
ステップＳ１１では、液晶表示部４０に「要求日付呼出？」が表示され、「ｙｅｓ」キー４１ａを押すことにより、ステップＳ１２に進み、「ｎｏ」キー４１ｂを押すことにより、このフローチャートを終了し商品情報を印字する印字発行モードに切り替わることができる。
ステップＳ１２では、要求日付部３８に記憶してある要求日付を呼び出して液晶表示部４０に表示することができる（要求日付呼出手段）。
この要求日付を表示されることにより、何時ホスト２に商品変更日付を要求したかを判断することができ、不必要に要求することないのでプリンタの印字の作業性を向上することができる。
【００２９】
尚、商品リスト３９はメモリカード３６に記憶した例で説明したが、プリンタ３の内部に設けた不揮発性メモリー（図示せず）などに記憶することができる。
また、操作部４１により文字や数字などをキー操作するように説明したが、液晶画面部をタッチパネルにより構成し、タッチパネルで入力するようにしてもよい。
尚、この実施の形態では、食品部門のプリンタについて説明したが、衣料部門についても同様に、衣料部門に設置された固有のコードを有したプリンタは、ホストの衣料用の商品情報エリアにアクセスして商品変更日付が異なる場合に、衣料の商品リスト６ｂを全て転送することができる。
また、ホスト側商品リストがプリンタに転送されると、ホスト側商品リストの更新コードがリセットされ全て「０」に更新することができる。
尚、本実施の形態で説明した日付は、時刻を含めて記憶することができる。
【００３０】
この実施の形態では、各構成部材の数、位置、形状等は上記実施の形態に限定されず、本発明を実施する上で好適な数、位置、形状等にすることができる。
なお、本発明が上記各実施の形態に限定されず、本発明の技術思想の範囲内において、実施の形態は適宜変更され得ることは明らかである。
【図面の簡単な説明】
【００３１】
【図１】図１は本発明のプリンタの商品管理システムの一例を示した全体の概略構成図である。
【図２】同上、プリンタの概略構成図である。
【図３】同上、プリンタの制御部の一例を示したブロック図である。
【図４】同上、プリンタのメモリカードに記憶された商品印字リスト、書換日付部、要求日付部の一例を示した説明図である。
【図５】同上、商品管理システムのフローチャート図である。
【符号の説明】
【００３２】
１      商品管理システム
２      ホスト
３      プリンタ（食品用）
４      プリンタ（衣料用）
５      食品用の商品情報エリア
５ａ    商品変更日付部
５ｂ    ホスト側商品リスト
６      衣料用の商品情報エリア
７      プリンタ本体
８      操作表示部
９      通信インタフェース（通信手段）
１０      用紙供給部
１２      印字部（印字手段）
１３      剥離部
１４      巻取部
１５      制御部
３６      メモリカード
３７      書換日付部（書換日付手段）
３８      要求日付部
３９      商品リスト
３９ａ    更新コード欄（更新情報）
４０      液晶表示部（表示手段）
５２      ラベル連続体（印字媒体）
【図１】
0004774328.tif 000002
【図２】
0004774328.tif 000003
【図３】
0004774328.tif 000004
【図４】
0004774328.tif 000005
【図５】
0004774328.tif 000006